(57)【要約】【課題】  安全運転に資する休憩に関する案内情報を運転者に適切に提供する。【解決手段】  道路情報取得部７１０が、走行予定の道路の特徴及び走行環境状況を取得する。身体影響評価部７５１は、これらの情報に基づいて、走行予定の道路を走行する際に、運転者が眠気を催すか否かの評価及び運転者が疲労を生じるか否かの評価を行う。引き続き、運転者が眠気を催すと評価された場合には、休憩評価部７５３は、走行予定の道路を走行する前に、運転者が眠気を催さないようにするための休憩を取るべきと評価する。また、運転者が疲労を生じると評価された場合には、休憩評価部７５３は、走行予定の道路を走行する前に、運転者が疲労を生じないようにするための休憩を取るべきと評価する。そして、情報生成部７５４が、休憩評価部７５３の評価結果に基づき、運転者に対する休憩に関する案内情報を生成する。【選択図】  図１
2018190025.tif 000002
【特許請求の範囲】
【請求項１】
移動体が走行予定の道路の特徴を含む道路走行環境情報を取得する道路情報取得部と；
前記道路走行環境情報に基づいて前記移動体の運転者が休憩を取るべきと評価した場合に、前記運転者に対する休憩に関する案内情報を生成する生成部と；
を備えることを特徴とする案内情報生成装置。
【請求項２】
前記生成部は、
前記道路情報取得部により取得された前記道路走行環境情報に基づいて、前記走行予定の道路を走行する際の前記運転者の今後の身体への影響を評価する身体影響評価部と；
前記運転者の今後の身体への影響の評価結果に基づいて、前記運転者が休憩を取るべきか否かを評価する休憩評価部と；
前記休憩評価部により前記運転者が休憩を取るべきと評価された場合に、前記休憩に関する案内情報を生成する情報生成部と；を備える、
ことを特徴とする請求項１に記載の案内情報生成装置。
【請求項３】
前記身体影響評価部は、前記道路走行環境情報に基づいて、前記走行予定の道路を走行する際に、前記運転者が眠気を催す道路走行環境か否かの評価、及び、前記運転者が疲労を生じる道路走行環境か否かの評価の少なくとも一方を行う、ことを特徴とする請求項２に記載の案内情報生成装置。
【請求項４】
前記身体影響評価部が、前記運転者が眠気を催すと評価した場合には、
前記休憩評価部は、前記運転者が休憩を取るべきと評価し、
前記情報生成部は、前記走行予定の道路を走行する前に、眠気を催さないようにするための休憩を取るべき旨の案内情報を生成する、
ことを特徴とする請求項３に記載の案内情報生成装置。
【請求項５】
前記身体影響評価部が、前記運転者が疲労を生じると評価した場合には、
前記休憩評価部は、前記運転者が休憩を取るべきと評価し、
前記情報生成部は、前記走行予定の道路を走行する前に、疲労を生じないようにするための休憩を取るべき旨の案内情報を生成する、
ことを特徴とする請求項３又は４に記載の案内情報生成装置。
【請求項６】
前記身体影響評価部が、前記運転者が眠気を催さないと評価し、かつ、前記運転者が疲労を生じないと評価した場合には、
前記休憩評価部は、前記道路走行環境情報に基づいて前記運転者が休憩を取る必要はないと評価する、
ことを特徴とする請求項３〜５のいずれか一項に記載の案内情報生成装置。
【請求項７】
前記移動体の運転者の現在の心身に関する情報を取得する心身情報取得部を更に備え、
前記生成部は、前記心身に関する情報に更に基づいて前記休憩を取るべきと評価した場合に、前記休憩に関する案内情報を生成する、
ことを特徴とする請求項１〜６のいずれか一項に記載に案内情報生成装置。
【請求項８】
前記生成部は、前記心身に関する情報に基づいて、前記運転者が眠気を催しているか否かの評価、及び、前記運転者が疲労しているか否かの評価の少なくとも一方を行う心身状態評価部を更に備え、
前記休憩評価部は、前記心身状態評価部による評価結果に更に基づいて、前記運転者が休憩を取るべきか否かを評価し、
前記情報生成部は、前記休憩評価部により前記運転者が休憩を取るべきと評価された場合に、前記休憩に関する案内情報を生成する、
ことを特徴とする請求項７に記載の案内情報生成装置。
【請求項９】
前記心身状態評価部が、前記運転者が眠気を催していると評価した場合には、
前記休憩評価部は、前記運転者が休憩を取るべきと評価し、
前記情報生成部は、眠気を解消するための休憩を取るべき旨の案内情報を生成する、
ことを特徴とする請求項８に記載の案内情報生成装置。
【請求項１０】
前記心身状態評価部が、前記運転者が疲労していると評価した場合には、
前記休憩評価部は、前記運転者が休憩を取るべきと評価し、
前記情報生成部は、疲労を回復するための休憩を取るべき旨の案内情報を生成する、
ことを特徴とする請求項８又は９に記載の案内情報生成装置。
【請求項１１】
前記心身状態評価部が、前記運転者が眠気を催していないと評価し、かつ、前記運転者が疲労していないと評価した場合には、
前記休憩評価部は、前記心身に関する情報に基づいて前記運転者が休憩を取る必要はないと評価する、
ことを特徴とする請求項８〜１０のいずれか一項に記載の案内情報生成装置。
【請求項１２】
前記心身に関する情報は、運転時間関連情報及び生体情報の少なくとも１つが含まれる、ことを特徴とする請求項７〜１１のいずれか一項に記載の案内情報生成装置。
【請求項１３】
前記運転時間関連情報には、現時点までの連続運転時間情報及び前回の休憩に関する情報が含まれる、ことを特徴とする請求項１２に記載の案内情報生成装置。
【請求項１４】
前記休憩に関する案内情報には、休憩タイミング、休憩時間、休憩態様及び休憩場所の少なくとも１つが含まれる、ことを特徴とする請求項１〜１３のいずれか一項に記載の案内情報生成装置。
【請求項１５】
道路情報取得部と、生成部とを備える案内情報生成装置において使用される案内情報生成方法であって、
前記道路情報取得部が、移動体が走行予定の道路の特徴を含む道路走行環境情報を取得する道路情報取得工程と；
前記生成部が、前記道路走行環境情報に基づいて前記移動体の運転者が休憩を取るべきと評価した場合に、前記運転者に対する休憩に関する案内情報を生成する生成工程と；
を備えることを特徴とする案内情報生成方法。
【請求項１６】
案内情報生成装置が有するコンピュータに、請求項１５に記載の案内情報生成方法を実行させる、ことを特徴とする案内情報生成プログラム。
【請求項１７】
案内情報生成装置が有するコンピュータにより読み取り可能に、請求項１６に記載の案内情報生成プログラムが記録されている、ことを特徴とする記録媒体。
【発明の詳細な説明】
【技術分野】
【０００１】
本発明は、案内情報生成装置、案内情報生成方法及び案内情報生成プログラム、並びに、当該案内情報生成プログラムが記録された記録媒体に関する。
【背景技術】
【０００２】
従来から、安全運転に資する目的で、車両の運転者に対して、休憩に関する情報を提供する技術が提案されている。こうした提案技術の一つとして、長時間にわたって運転操作が行われているときに、運転者に対して、休憩に関する情報を提供するものがある（特許文献１参照：以下、「従来例」と呼ぶ）。
【０００３】
この従来例の技術では、運転者が規定時間を超えて連続して運転しているときに、運転者に対して休憩を促す案内を行う。そして、運転者が休憩を取らずに、規定時間より長い所定時間を超えて連続して運転している状態になったときに、付近の休憩可能な施設を休憩地点として経由地に設定し、当該休憩地点までの経路を誘導するようにしている。
【先行技術文献】
【特許文献】
【０００４】
【特許文献１】特開２０１１−０５２９７９号公報
【発明の概要】
【発明が解決しようとする課題】
【０００５】
上述した従来例の技術では、連続運転が長時間にわたって行われている状態では、運転者の運転操作に対する集中力や注意力が低下し、疲労運転や居眠り運転の恐れがあることから、長時間の連続運転が行われているときに、運転者に対して休憩に関する情報を提供している。しかしながら、運転操作に対する集中力や注意力が低下する要因は、長時間にわたる連続運転だけでなく、道路状態とも大きく関係している。例えば、運転操作に対する集中力や注意力が通常以上に必要とされる道路（例えば、凍結した道路）を走行するときには、長時間の連続運転を行っていなくても、運転者が疲労し、休憩が必要になることがある。また、単調な運転操作で走行可能な道路（例えば、直線区間が長い高速道路）を走行するときにも、長時間にわたる連続運転を行っていなくても、運転者が眠気を催し、休憩が必要となることがある。この結果、従来例の技術では、休憩に関する情報を運転者に適切に提供することができない場合があった。こうした状況は、安全運転の観点から好ましくない。
【０００６】
このため、休憩に関する案内情報を運転者に適切に提供して、安全運転に資することができる技術が望まれている。かかる要請に応えることが、本発明が解決すべき課題の一つとして挙げられる。
【課題を解決するための手段】
【０００７】
請求項１に記載の発明は、移動体が走行予定の道路の特徴を含む道路走行環境情報を取得する道路情報取得部と；前記道路走行環境情報に基づいて前記移動体の運転者が休憩を取るべきと評価した場合に、前記運転者に対する休憩に関する案内情報を生成する生成部と；を備えることを特徴とする案内情報生成装置である。
【０００８】
請求項１５に記載の発明は、道路情報取得部と、生成部とを備える案内情報生成装置において使用される案内情報生成方法であって、前記道路情報取得部が、移動体が走行予定の道路の特徴を含む道路走行環境情報を取得する道路情報取得工程と；前記生成部が、前記道路走行環境情報に基づいて前記移動体の運転者が休憩を取るべきと評価した場合に、前記運転者に対する休憩に関する案内情報を生成する生成工程と；を備えることを特徴とする案内情報生成方法である。
【０００９】
請求項１６に記載の発明は、案内情報生成装置が有するコンピュータに、請求項１５に記載の案内情報生成方法を実行させる、ことを特徴とする案内情報生成プログラムである。
【００１０】
請求項１７に記載の発明は、案内情報生成装置が有するコンピュータにより読み取り可能に、請求項１６に記載の案内情報生成プログラムが記録されている、ことを特徴とする記録媒体である。
【図面の簡単な説明】
【００１１】
【図１】本発明の一実施形態に係る案内情報生成装置の構成を示すブロック図である。
【図２】本発明の一実施例に係る案内情報生成装置の構成を概略的に示すブロック図である。
【図３】図２の案内情報生成装置による運転者に対する休憩に関する案内情報の生成処理を説明するためのフローチャートである。
【図４】図３の今後の身体への影響の評価に基づく休憩に関する案内情報の生成処理を説明するためのフローチャートである。
【図５】図３の現在の心身状態の評価に基づく休憩に関する案内情報の生成処理を説明するためのフローチャートである。
【発明を実施するための形態】
【００１２】
以下、本発明の一実施形態を、図１を参照して説明する。なお、以下の説明及び図面においては、同一又は同等の要素には同一の符号を付し、重複する説明を省略する。
【００１３】
［構成］
図１には、一実施形態に係る案内情報生成装置７００の構成がブロック図にて示されている。案内情報生成装置７００は、移動体ＭＶ内に配置される。本実施形態では、移動体ＭＶには、案内情報生成装置７００に加えて、記憶部９１０と、音出力部９２０と、表示部９３０と、位置検出部９５０と、生体情報検出部９７０とが配置されている。
【００１４】
上記の記憶部９１０は、不揮発性の記憶素子を備えて構成される。当該記憶部９１０には、地図情報が記憶される。記憶部９１０には、案内情報生成装置７００がアクセス可能となっている。
【００１５】
地図情報には、道路の形状をリンクやノード（交差点等）で表す道路形状データ、建物、河川、地表面（フィーチャ）等を表す背景データ、ＰＯＩ（Point Of Interests）データが含まれている。また、地図情報には、道路の法定速度、勾配、道路幅、信号の有無等、及び、これらによって分類される道路の種類である道路種別が含まれている。ここで、「道路種別」としては、一般国道、高速道路、一般道路、市街地等を通る細街路、山岳道路等がある。
【００１６】
上記の音出力部９２０は、スピーカを備えて構成されている。音出力部９２０は、案内情報生成装置７００から送られた出力音データを受ける。そして、音出力部９２０は、当該出力音データに対応する出力音を再生出力する。
【００１７】
上記の表示部９３０は、液晶ディスプレイパネル等の表示デバイスを備えて構成されている。表示部９３０は、案内情報生成装置７００から送られた表示データを受ける。そして、表示部９３０は、当該表示データに対応する画像を表示する。
【００１８】
上記の位置検出部９５０は、移動体ＭＶの現在位置を逐次検出する。そして、位置検出部９５０は、検出された移動体ＭＶの現在位置を案内情報生成装置７００へ送る。
【００１９】
上記の生体情報検出部９７０は、移動体ＭＶの運転者の生体情報を検出する。本実施形態では、生体情報検出部９７０は、心拍センサ及びカメラデバイスを備えて構成される。
【００２０】
ここで、心拍センサは、運転者の心拍数を検出する。そして、心拍センサは、検出された運転者の心拍数の情報を案内情報生成装置７００へ送る。
【００２１】
また、カメラデバイスは、運転者の顔を撮影する。カメラデバイスによる撮影結果である撮影画像は、案内情報生成装置７００へ送られる。
【００２２】
＜案内情報生成装置７００の構成＞
上記の案内情報生成装置７００の構成について、説明する。
【００２３】
案内情報生成装置７００は、図１に示されるように、道路情報取得部７１０と、心身情報取得部７２０とを備えている。また、案内情報生成装置７００は、生成部７５０を備えている。
【００２４】
ここで、本実施形態では、案内情報生成装置７００は、不図示の探索部を更に備えている。当該探索部は、目的地を指定（設定）した経路探索指令を受けた場合は、記憶部９１０に記憶された地図情報を参照して、移動体ＭＶの現在位置から目的地までの経路を探索する。そして、探索部は、移動体ＭＶの走行予定の道路である探索された経路中の道路について、道路種別ごとに、走行予定区間を設定するようになっている。
【００２５】
例えば、探索された経路が、一般国道、高速道路、一般道路、山岳道路を順次走行して目的地に至る経路の場合には、走行予定区間として、「走行予定区間１：一般国道」、「走行予定区間２：高速道路」、「走行予定区間３：一般道路」、「走行予定区間４：山岳道路」が設定される。
【００２６】
また、目的地が設定されていない場合は、探索部は、記憶部９１０に記憶された地図情報を参照して、移動体ＭＶの現在位置の変化から、道路の先読みを行い、進行方向に道なりの道路を、予測進路として予測する。そして、探索部は、予測進路を所定走行距離だけ走行しても道路種別が変化しない場合には、当該所定走行距離の予測進路を走行予定区間に設定するようになっている。また、探索部は、所定走行距離の予測道路を走行する間に道路種別が変化する場合には、予測進路の道路種別ごとに、走行予定区間を設定するようになっている。ここで、所定走行距離は、一般的な運転者が運転操作に対する集中力や注意力を持続できる走行距離であり、経験等に基づいて定められる。
【００２７】
探索部による予定走行区間を含む探索結果は、道路情報取得部７１０及び生成部７５０へ送られるようになっている。
【００２８】
上記の道路情報取得部７１０は、位置検出部９５０から送られた移動体ＭＶの現在位置を取得する。そして、道路情報取得部７１０は、記憶部９１０に記憶された地図情報及び移動体ＭＶの現在位置を参照して、移動体ＭＶの走行予定の道路の特徴を、走行予定区間ごとに取得する。
【００２９】
ここで、道路の特徴としては、例えば、「直進する区間の距離が短く、右左折等のハンドル操作が多く必要とされる道路」、「直進する区間の距離が長く、右左折等のハンドル操作がさほど必要とされていない道路」、「勾配の変化が小さく、ブレーキ操作等がさほど必要とされていない道路」、「勾配の変化が大きく、ブレーキ操作等が多く必要とされる道路」、「Ｓ字カーブが連続していて、ハンドル操作が多く必要とされる道路」が挙げられる。また、道路の特徴としては、「信号機の設置間隔が短い道路」、「信号機の設置間隔が長い道路」、「風景が大きく変化する道路」、「風景がさほど変化しない道路」、「トンネルの多い道路」等が挙げられる。
【００３０】
また、道路情報取得部７１０は、ネットワークを介して、不図示の情報サーバから、走行予定の道路の走行環境状況を、走行予定区間ごとに受信して取得する。本実施形態では、走行環境状況には、走行予定の道路を走行するときの天候、走行予定の道路の路面状態（乾燥路面、湿潤路面、凍結路面、積雪路面）等が含まれている。こうして取得された走行予定区間の道路の特徴及び走行環境状況は、道路走行環境情報として生成部７５０へ送られる。
【００３１】
上記の心身情報取得部７２０は、生体情報検出部９７０の心拍センサから送られた運転者の心拍数の情報を取得する。また、心身情報取得部７２０は、生体情報検出部９７０のカメラデバイスから送られた運転者の顔の撮影画像を取得する。
【００３２】
また、心身情報取得部７２０は、位置検出部９５０から送られた移動体ＭＶの現在位置を取得する。そして、心身情報取得部７２０は、記憶部９１０に記憶された地図情報及び移動体ＭＶの現在位置の変化に基づいて、運転者の休憩状況を導出するための情報である移動体ＭＶの走行履歴情報を、運転時間関連情報として取得する。こうして取得された運転者の心拍数の情報及び顔の撮影画像、並びに、運転時間関連情報は、運転者の心身に関する情報として生成部７５０へ送られる。
【００３３】
上記の生成部７５０は、道路走行環境情報及び運転者の心身に関する情報に基づいて、運転者が休憩を取るべきと評価した場合に、運転者に対する休憩に関する案内情報を生成する。かかる機能を有する生成部７５０は、身体影響評価部７５１と、心身状態評価部７５２と、休憩評価部７５３と、情報生成部７５４とを備えている。
【００３４】
上記の身体影響評価部７５１は、道路情報取得部７１０から送られた道路走行環境情報を受ける。そして、身体影響評価部７５１は、当該道路走行環境情報に基づいて、走行予定区間ごとに、走行予定区間の道路を走行する際の、運転者の今後の身体への影響を評価する。
【００３５】
身体影響評価部７５１による評価としては、例えば、走行予定区間の道路が「直進する区間の距離が短くてハンドル操作が多く必要とされる細街路」であり、時間帯が「日中」、天候が「晴れ」、路面状態が「乾燥路面」の場合には、当該走行予定区間の道路を走行するに際して、運転者は眠気を催さないと評価する。
【００３６】
また、身体影響評価部７５１による評価としては、例えば、走行予定区間の道路が「直進する区間の距離が長くてハンドル操作がさほど必要とされておらず、かつ、信号機の設置間隔が長くて、風景が変化しない一般国道」であり、時間帯が「日中」、天候が「晴れ」、路面状態が「乾燥路面」の場合には、当該走行予定区間の道路を走行するに際して、運転者は眠気を催すと評価する。また、例えば、走行予定区間の道路が「直進する区間の距離が長くてハンドル操作がさほど必要とされておらず、かつ、信号機の設置間隔が長い一般国道」であり、時間帯が「夜間」、天候が「晴れ」、路面状態が「乾燥路面」の場合には、当該走行予定区間の道路を走行するに際して、運転者は眠気を催すと評価する。また、例えば、走行予定区間の道路が「直進する区間の距離が長くてハンドル操作がさほど必要とされない高速道路」であり、時間帯が「日中」、天候が「晴れ」、路面状態が「乾燥路面」の場合には、当該走行予定区間の道路を走行するに際して、運転者は眠気を催すと評価する。
【００３７】
また、身体影響評価部７５１による評価としては、例えば、走行予定区間の道路が「ハンドル操作が通常必要とされている程度以下の一般道路」であり、時間帯が「日中」、天候が「晴れ」、路面状態が「乾燥路面」の場合には、当該走行予定区間の道路を走行するに際して、運転者は疲労を生じないと評価する。
【００３８】
また、身体影響評価部７５１による評価としては、例えば、走行予定区間の道路が「Ｓ字カーブが連続していてハンドル操作が多く必要とされる一般道路」や「勾配の変化が大きくブレーキ操作等が多く必要とされる山岳道路」の場合には、時間帯、天候及び路面状態に関らず、当該走行予定区間の道路を走行するに際して、運転者は疲労を生じると評価する。また、例えば、走行予定区間の路面状態が「凍結路面」や「積雪路面」の場合には、道路種別に関らず、当該走行予定区間の道路を走行するに際して、運転者は疲労を生じると評価する。
【００３９】
こうして評価された身体影響評価部７５１による評価結果は、休憩評価部７５３へ送られる。ここで、身体影響評価部７５１による評価は、一般的な運転者の運転経験等から得られた評価基準に基づいて行われるようになっている。また、上述した身体影響評価部７５１による評価例はいくつかの例を示したに過ぎず、例えば、天候が「雨」、路面状態が「湿潤路面」の場合には、運転者は疲労を生じると評価するようにすることができる。
【００４０】
上記の心身状態評価部７５２は、心身情報取得部７２０から送られた運転者の心身に関する情報を受ける。そして、心身状態評価部７５２は、当該心身に関する情報に基づいて、現時点において、運転者が眠気を催しているか否かの評価、及び、運転者が疲労しているか否かの評価を行う。
【００４１】
かかる運転者が眠気を催しているか否かの評価に際して、本実施形態では、心身状態評価部７５２は、まず、運転者の心身に関する情報に含まれる撮影画像を解析して、運転者の目の瞬きの頻度を導出する。そして、心身状態評価部７５２は、運転者の目の瞬きの頻度と心拍数とに基づいて、運転者が眠気を催しているか否かを評価する。例えば、１分間当りの運転者の目の瞬きの回数が眠気発生基準回数以上、又は、運転者の心拍数が眠気発生基準心拍数以下のときに、運転者が眠気を催していると評価するようにすることができる。ここで、眠気発生基準回数及び眠気発生基準心拍数は、運転者の眠気を検知するとの観点から、実験、シミュレーション、経験等に基づいて、予め定められる。
【００４２】
また、運転者が疲労しているか否かの評価に際して、本実施形態では、心身状態評価部７５２は、移動体ＭＶの走行履歴情報である運転時間関連情報に基づいて、移動体ＭＶが所定時間以上にわたって施設の駐車場等に停止しているときに、運転者が休憩していると特定する。ここで、所定時間は、渋滞による停止ではなく、休憩による停止である認定するとの観点から、経験等に基づいて予め定められ、例えば、５分間とすることができる。次に、心身状態評価部７５２は、前回の休憩から現時点までの連続運転時間、及び、前回の休憩時間に基づいて、運転者の休憩状況を導出する。そして、心身状態評価部７５２は、運転者の休憩状況と心拍数とに基づいて、運転者が疲労しているか否かを評価する。
【００４３】
本実施形態では、運転者の休憩状況に基づいて運転者が疲労していると評価されたとき、又は、運転者の休憩状況に関らずに運転者の心拍数が疲労発生基準心拍数以下のときに、心身状態評価部７５２は、運転者が疲労していると評価する。かかる運転者の休憩状況に基づく疲労評価に際して、例えば、連続運転時間が疲労発生基準時間より長いときには、前回の休憩時間の長短に関らず、運転者は疲労していると評価するようにすることができる。また、連続運転時間が疲労発生基準時間以下のときであっても、前回の休憩時間が休憩基準時間以下のときには、運転者が疲労していると評価するようにすることができる。ここで、疲労発生基準時間、休憩基準時間及び疲労発生基準心拍数は、運転者の疲労を検知するとの観点から、実験、シミュレーション、経験等に基づいて、予め定められる。
【００４４】
上記の休憩評価部７５３は、身体影響評価部７５１から送られた評価結果、及び、心身状態評価部７５２から送られた評価結果を受ける。そして、休憩評価部７５３は、これらの評価結果に基づいて、運転者の今後の身体への影響、現地点の心身の状態から、運転者が休憩を取るべきか否かを評価する。
【００４５】
かかる休憩を取るべきか否かの評価に際して、身体影響評価部７５１により、走行予定区間の道路を走行するに際して、運転者が眠気を催すと評価された場合には、休憩評価部７５３は、運転者が眠気を催さないようにするための休憩を取るべきと評価し、当該評価結果を情報生成部７５４へ送る。また、身体影響評価部７５１により、走行予定区間の道路を走行するに際して、運転者が疲労を生じると評価された場合には、休憩評価部７５３は、運転者が疲労を生じないようにするための休憩を取るべきと評価し、当該評価結果を情報生成部７５４へ送る。また、身体影響評価部７５１により、走行予定区間の道路を走行するに際して、運転者が眠気を催さないと評価され、かつ、運転者が疲労を生じないと評価された場合には、休憩評価部７５３は、運転者が休憩を取る必要はないと評価する。
【００４６】
また、休憩を取るべきか否かの評価に際して、心身状態評価部７５２により、現時点において運転者が眠気を催していると評価された場合には、休憩評価部７５３は、運転者が眠気を解消するための休憩を取るべきと評価し、当該評価結果を情報生成部７５４へ送る。また、心身状態評価部７５２により、現時点において、運転者が疲労していると評価された場合には、休憩評価部７５３は、運転者が疲労を回復するための休憩を取るべきと評価し、当該評価結果を情報生成部７５４へ送る。また、心身状態評価部７５２により、現時点において、運転者が眠気を催していないと評価され、かつ、運転者が疲労を生じていないと評価された場合には、休憩評価部７５３は、運転者が休憩を取る必要はないと評価する。
【００４７】
上記の情報生成部７５４は、休憩評価部７５３から送られた評価結果を受ける。そして、情報生成部７５４は、当該評価結果の内容に応じて、運転者に対する休憩に関する案内情報を生成する。こうして生成された案内情報は、音出力部９２０及び表示部９３０へ送られる。情報生成部７５４による処理の詳細については、後述する。
【００４８】
［動作］
上記のように構成された案内情報生成装置７００の動作について、生成部７５０による処理に主に着目して説明する。
【００４９】
案内情報生成装置７００では、不図示の探索部が、目的地が設定されている場合には、移動体ＭＶの現在位置から目的地までの経路を探索しているものとする。そして、探索部は、探索された経路中の道路について、道路種別ごとに走行予定区間を設定しているものとする。
【００５０】
また、目的地が設定されていない場合は、探索部は、記憶部９１０に記憶された地図情報を参照して、移動体ＭＶの現在位置の変化から、道路の先読みを行い、進行方向に道なりの道路を、予測進路として予測する。そして、探索部は、予測進路を所定走行距離だけ走行しても道路種別が変化しない場合には、当該所定走行距離の予測進路を走行予定区間に設定しているものとする。また、探索部は、所定走行距離の予測道路を走行する間に道路種別が変化する場合には、予測進路の道路種別ごとに、走行予定区間を設定しているものとする。
【００５１】
また、案内情報生成装置７００では、道路情報取得部７１０が、位置検出部９５０から送られた移動体ＭＶの現在位置を取得しているものとする。
【００５２】
また、案内情報生成装置７００では、心身情報取得部７２０が、生体情報検出部９７０から送られた運転者の心拍数の情報及び顔の撮影画像（生体情報）を取得し、当該心拍数の情報及び撮影画像を、逐次、生成部７５０の心身状態評価部７５２へ送っているものとする。また、心身情報取得部７２０は、位置検出部９５０から送られた移動体ＭＶの現在位置を取得しているものとする。そして、心身情報取得部７２０は、地図情報及び移動体ＭＶの現在位置の時間変化に基づいて、運転時間関連情報を導出して取得し、当該運転時間関連情報を心身状態評価部７５２へ送っているものとする。
【００５３】
また、案内情報生成装置７００では、生成部７５０が、位置検出部９５０から送られた移動体ＭＶの現在位置を取得しているものとする。
【００５４】
＜運転者の今後の身体への影響の評価に基づく案内情報の生成処理＞
まず、運転者の今後の身体への影響の評価に基づく休憩に関する案内情報の生成処理について、説明する。
【００５５】
運転者の今後の身体への影響の評価に基づく休憩に関する案内情報の生成処理に際しては、まず、道路情報取得部７１０が、移動体ＭＶの走行中に、移動体ＭＶの現在位置及び地図情報から、現在走行している走行区間の次の走行予定区間を特定する。次いで、道路情報取得部７１０は、地図情報を参照して、当該走行予定区間の道路の特徴を取得し、当該道路の特徴の情報を、生成部７５０の身体影響評価部７５１へ送る。また、道路情報取得部７１０は、情報サーバから、当該走行予定区間の走行環境状況を取得し、当該走行環境状況を、身体影響評価部７５１へ送る。
【００５６】
道路情報取得部７１０から送られた次の走行予定区間の道路の特徴及び走行環境状況（道路走行環境情報）を受けた身体影響評価部７５１は、これらの情報に基づいて、運転者の今後の身体への影響から、次の走行予定区間の道路を走行する際に、運転者が眠気を催す道路走行環境か否かの評価、及び、運転者が疲労を生じる道路走行環境か否かの評価を行う。そして、身体影響評価部７５１は、当該評価の結果を休憩評価部７５３へ送る。
【００５７】
身体影響評価部７５１による評価結果を受けた休憩評価部７５３は、当該評価結果に基づいて、次の走行予定区間の道路を走行する前に、運転者が休憩を取るべきか否かを評価する。かかる休憩を取るべきか否かの評価に際して、身体影響評価部７５１から運転者が眠気を催すとの評価結果を受けた場合には、休憩評価部７５３は、走行予定区間の道路を走行する前に、運転者が眠気を催さないようにするための休憩を取るべきと評価する。また、身体影響評価部７５１から運転者が疲労を生じるとの評価結果を受けた場合には、休憩評価部７５３は、走行予定区間の道路を走行する前に、運転者が疲労を生じないようにするための休憩を取るべきと評価する。また、身体影響評価部７５１から、運転者が眠気を催さないとの評価結果、及び、運転者が疲労を生じないとの評価結果を受けた場合には、休憩評価部７５３は、運転者が休憩を取る必要はないと評価する。そして、休憩評価部７５３は、当該評価の結果を情報生成部７５４へ送る。
【００５８】
引き続き、情報生成部７５４が、休憩評価部７５３から送られた評価結果に基づいて、運転者に対する休憩に関する案内情報を生成する。かかる案内情報の生成に際して、眠気を催さないようにするための休憩を取るべきとの評価結果を休憩評価部７５３から受けた場合には、情報生成部７５４は、移動体ＭＶの現在位置及び地図情報を参照して、走行予定の道路を走行する前に、眠気を催さないようにするための休憩を取るべき旨の案内情報を生成する。そして、情報生成部７５４は、当該案内情報を提供するための出力音データを生成して、音出力部９２０へ送る。また、このとき、情報生成部７５４は、当該案内情報を提供するための表示データを生成して、表示部９３０へ送る。この結果、音出力部９２０から、走行予定の道路を走行する前に、今後の走行において眠気を催さないようにするための休憩を取るべき案内音が再生出力されるとともに、表示部９３０に、走行予定の道路を走行する前に、眠気を催さないようにするための休憩を取るべき案内画像が表示される。
【００５９】
この場合に、例えば、次の走行予定区間の道路が高速道路の場合には、情報生成部７５４は、地図情報を参照して、当該高速道路の入口インターチェンジ（入口施設）のパーキングエリアを抽出する。そして、情報生成部７５４は、「高速道路を走行する前に（休憩タイミング）、当該パーキングエリア（休憩場所）で、１時間（休憩時間）仮眠（休憩態様）して休憩を取るべき」旨の案内情報を生成するようにすることができる。
【００６０】
また、疲労が生じないようにするための休憩を取るべきとの評価結果を休憩評価部７５３から受けた場合には、情報生成部７５４は、移動体ＭＶの現在位置及び地図情報を参照して、走行予定の道路を走行する前に、疲労を生じないようにするための休憩を取るべき旨の案内情報を生成する。そして、情報生成部７５４は、当該案内情報を提供するための出力音データを生成して、音出力部９２０へ送るとともに、当該案内情報を提供するための表示データを生成して、表示部９３０へ送る。この結果、音出力部９２０から、走行予定の道路を走行する前に、今後の走行において疲労を生じないようにするための休憩を取るべき案内音が再生出力されるとともに、表示部９３０に、走行予定の道路を走行する前に、疲労を生じないようにするための休憩を取るべき案内画像が表示される。
【００６１】
この場合に、例えば、次の走行予定区間が山岳道路の場合には、情報生成部７５４は、地図情報を参照して、当該山岳道路の手前の道の駅（休憩施設）を抽出する。そして、情報生成部７５４は、「山岳道路を走行する前に（休憩タイミング）、当該道の駅（休憩場所）で、２０分間（休憩時間）リラックス（休憩態様）して休憩を取るべき」旨の案内情報を生成するようにすることができる。
【００６２】
以後、移動体ＭＶが移動して、走行区間が変わるごとに、上述した運転者の今後の身体への影響の評価に基づく休憩に関する案内情報の生成処理が行われる。
【００６３】
＜運転者の現在の心身状態の評価に基づく案内情報の生成処理＞
次に、運転者の現在の心身状態の評価に基づく休憩に関する案内情報の生成処理について、説明する。
【００６４】
運転者の現在の心身状態の評価に基づく休憩に関する案内情報の生成処理に際しては、心身状態評価部７５２が、心身情報取得部７２０から送られた運転者の心拍数の情報及び顔の撮影画像（生体情報）、並びに、運転時間関連情報に基づいて、現時点において、運転者が眠気を催しているか否かの評価、及び、運転者が疲労しているか否かの評価を行う。そして、心身状態評価部７５２は、当該評価の結果を休憩評価部７５３へ送る。
【００６５】
心身状態評価部７５２による評価結果を受けた休憩評価部７５３は、当該評価結果に基づいて、運転者の現地点の心身の状態から、早急に、運転者が休憩を取るべきか否かを評価する。かかる休憩を取るべきか否かの評価に際して、心身状態評価部７５２から運転者が眠気を催しているとの評価結果を受けた場合には、休憩評価部７５３は、早急に、運転者が眠気を解消するための休憩を取るべきと評価する。また、心身状態評価部７５２から運転者が疲労しているとの評価結果を受けた場合には、休憩評価部７５３は、早急に、運転者が疲労を回復するための休憩を取るべきと評価する。また、心身状態評価部７５２から、運転者が眠気を催していないとの評価結果、及び、運転者が疲労を生じていないとの評価結果を受けた場合には、休憩評価部７５３は、運転者が休憩を取る必要はないと評価する。そして、休憩評価部７５３は、当該評価の結果を情報生成部７５４へ送る。
【００６６】
引き続き、情報生成部７５４が、休憩評価部７５３から送られた評価結果に基づいて、運転者に対する休憩に関する案内情報を生成する。かかる案内情報の生成に際して、眠気を解消するための休憩を取るべきとの評価結果を休憩評価部７５３から受けた場合には、情報生成部７５４は、移動体ＭＶの現在位置及び地図情報を参照して、早急に、眠気を解消するための休憩を取るべき旨の案内情報を生成する。そして、情報生成部７５４は、当該案内情報を提供するための出力音データ及び表示データを生成して、音出力部９２０及び表示部９３０へ送る。この結果、音出力部９２０から、早急に、眠気を解消するための休憩を取るべき案内音が再生出力されるとともに、表示部９３０に、早急に、眠気を解消するための休憩を取るべき案内画像が表示される。
【００６７】
この場合に、例えば、情報生成部７５４は、地図情報を参照して、最も近いコンビニエンスストアを抽出する。そして、情報生成部７５４は、「１００ｍ先の（休憩タイミング）、当該コンビニエンスストア（休憩場所）で、１時間（休憩時間）仮眠してからコーヒーを飲む（休憩態様）休憩を取るべき」旨の案内情報を生成するようにすることができる。
【００６８】
また、疲労を回復するための休憩を取るべきとの評価結果を休憩評価部７５３から受けた場合には、情報生成部７５４は、移動体ＭＶの現在位置及び地図情報を参照して、早急に、疲労を回復するための休憩を取るべき旨の案内情報を生成する。そして、情報生成部７５４は、当該案内情報を提供するための出力音データ及び表示データを生成し、音出力部９２０及び表示部９３０へ送る。この結果、音出力部９２０から、早急に、疲労を回復するための休憩を取るべき案内音が再生出力されるとともに、表示部９３０に、早急に、疲労を回復するための休憩を取るべき案内画像が表示される。
【００６９】
この場合に、例えば、情報生成部７５４は、地図情報を参照して、最も近いコンビニエンスストアを抽出する。そして、情報生成部７５４は、「２００ｍ先の（休憩タイミング）、当該コンビニエンスストア（休憩場所）で、３０分間（休憩時間）音楽を聴きながらリラックス（休憩態様）して休憩を取るべき」旨の案内情報を生成するようにすることができる。
【００７０】
以上説明したように、本実施形態では、道路情報取得部７１０が、走行予定区間の道路の特徴及び走行環境状況を取得し、身体影響評価部７５１へ送る。当該走行予定区間の道路の特徴及び走行環境状況を受けた身体影響評価部７５１は、これらの情報に基づいて、次の走行予定区間の道路を走行する際に、運転者が眠気を催すか否かの評価、及び、運転者が疲労を生じるか否かの評価を行い、当該評価結果を休憩評価部７５３へ送る。引き続き、運転者が眠気を催すとの評価結果を受けた場合には、休憩評価部７５３は、走行予定区間の道路を走行する前に、運転者が眠気を催さないようにするための休憩を取るべきと評価する。また、運転者が疲労を生じるとの評価結果を受けた場合には、休憩評価部７５３は、走行予定区間の道路を走行する前に、運転者が疲労を生じないようにするための休憩を取るべきと評価する。
【００７１】
そして、情報生成部７５４が、休憩評価部７５３の評価結果に基づいて、運転者に対する休憩に関する案内情報を生成する。かかる案内情報の生成に際して、眠気を催さないようにするための休憩を取るべきとの評価結果を休憩評価部７５３から受けた場合には、情報生成部７５４は、走行予定区間の道路を走行する前に、眠気を催さないようにするための休憩を取るべき旨の案内情報を生成する。また、疲労が生じないようにするための休憩を取るべきとの評価結果を休憩評価部７５３から受けた場合には、情報生成部７５４は、走行予定区間の道路を走行する前に、疲労を生じないようにするための休憩を取るべき旨の案内情報を生成する。
【００７２】
このため、現時点において、運転者が眠気を催していない場合や、疲労していない場合であっても、運転中に、運転者が眠気を催したり、疲労したりすることを考慮した休憩に関する案内情報を提供することができる。この結果、居眠り運転や疲労運転の発生を抑制することができる。したがって、本実施形態によれば、休憩に関する案内情報を運転者に適切に提供して、安全運転に資することができる。
【００７３】
また、本実施形態では、心身情報取得部７２０が、運転者の心拍数の情報及び顔の撮影画像を取得し、心身状態評価部７５２へ送る。また、心身情報取得部７２０は、地図情報及び移動体ＭＶの現在位置の時間変化に基づいて、運転時間関連情報を導出して取得し、心身状態評価部７５２へ送る。当該運転者の心拍数の情報及び顔の撮影画像、並びに、運転時間関連情報を受けた心身状態評価部７５２は、これらの情報に基づいて、現時点において、運転者が眠気を催しているか否かの評価、及び、運転者が疲労しているか否かの評価を行い、当該評価結果を休憩評価部７５３へ送る。引き続き、運転者が眠気を催しているとの評価結果を受けた場合には、休憩評価部７５３は、早急に、運転者が眠気を解消するための休憩を取るべきと評価する。また、運転者が疲労しているとの評価結果を受けた場合には、休憩評価部７５３は、早急に、運転者が疲労を回復するための休憩を取るべきと評価する。
【００７４】
そして、情報生成部７５４が、休憩評価部７５３の評価結果に基づいて、運転者に対する休憩に関する案内情報を生成する。かかる案内情報の生成に際して、眠気を解消するための休憩を取るべきとの評価結果を休憩評価部７５３から受けた場合には、情報生成部７５４は、早急に、眠気を解消するための休憩を取るべき旨の案内情報を生成する。また、疲労を回復するための休憩を取るべきとの評価結果を休憩評価部７５３から受けた場合には、情報生成部７５４は、早急に、疲労を回復するための休憩を取るべき旨の案内情報を生成する。
【００７５】
このため、運転中に運転者が眠気を催したり、疲労したりした場合には、直ちに休憩に関する案内情報を提供することができる。この結果、居眠り運転や疲労運転の発生を抑制することができる。したがって、本実施形態によれば、休憩に関する案内情報を運転者に更に適切に提供して、安全運転に資することができる。
【００７６】
［実施形態の変形］
本発明は、上記の実施形態に限定されるものではなく、様々な変形が可能である。
【００７７】
例えば、上記の実施形態では、目的地が設定されている場合に、走行予定区間を道路種別ごとに設定した。これに対し、走行予定区間を、道路の特徴ごとに設定するようにしてもよいし、所定走行距離ごとに設定するようにしてもよい。また、走行予定区間を、所定走行時間ごとに変更するように設定してもよい。ここで、所定走行時間は、一般的な運転者が運転操作に対する集中力や注意力を持続できる走行時間であり、経験等に基づいて定められる。
【００７８】
また、上記の実施形態では、休憩評価部は、身体影響評価部から送られた評価結果、及び、心身状態評価部から送られた評価結果に基づいて、運転者が休憩を取るべきか否かを評価した。これに対し、休憩評価部は、身体影響評価部から送られた評価結果のみに基づいて、運転者が休憩を取るべきか否かを評価するようにしてもよい。
【００７９】
また、上記の実施形態では、「運転者の今後の身体への影響の評価に基づく案内情報の生成処理」においては、運転者が眠気を催すか否かの評価の結果が否定的な場合に、運転者が疲労を生じるか否かの評価を行うようにした。これに対し、「運転者の今後の身体への影響の評価に基づく案内情報の生成処理」において、運転者が眠気を催すか否かの評価の結果が肯定的な場合にも、運転者が疲労を生じるか否かの評価を行うようにしてもよい。
【００８０】
また、上記の実施形態では、「運転者の現在の心身状態の評価に基づく案内情報の生成処理」においては、運転者が眠気を催しているか否かの評価の結果が否定的な場合に、運転者が疲労を生じているか否かの評価を行うようにした。これに対し、「運転者の現在の心身状態の評価に基づく案内情報の生成処理」において、運転者が眠気を催しているか否かの評価の結果が肯定的な場合にも、運転者が疲労を生じているか否かの評価を行うようにしてもよい。
【００８１】
また、上記の実施形態では、情報生成部が生成する休憩に関する案内情報には、休憩タイミング、休憩時間、休憩態様及び休憩場所のすべてが含まれていた。これに対し、情報生成部が生成する休憩に関する案内情報に、これらの少なくとも１つが含まれるようにしてもよい。
【００８２】
また、上記の実施形態では、生体情報として、運転者の心拍数と目の瞬きの頻度を採用した。これに対し、運転者の血圧、体温、発汗量、眼球運動の動揺量、脳波等の生体情報から、運転者が眠気を催しているか否か及び運転者が疲労しているか否かを評価するようにしてもよい。
【００８３】
また、上記の実施形態では、移動体の走行履歴から運転者が休憩している期間を特定した。これに対し、移動体が車両である場合には、ＡＣＣ電源がオフになっている期間を運転者が休憩している期間に特定するようにしてもよい。
【００８４】
また、上記の実施形態では、案内情報生成装置が、記憶部、音出力部、表示部、位置検出部及び生体情報検出部を備えない構成とした。これに対し、記憶部、音出力部、表示部、位置検出部及び生体情報検出部として利用できる設備品が移動体に配置されていない場合には、案内情報生成装置が、当該移動体に配置されていない設備品を備えるようにしてもよい。
【００８５】
また、上記の実施形態では、案内情報生成装置７００の構成要素の全てが移動体に配置されるようにしたが、移動体に配置される端末装置と通信可能なサーバ装置が、案内情報生成装置７００の構成要素の全部又は一部を備えるようにしてもよい。
【００８６】
なお、上記の実施形態における案内情報生成装置の道路情報取得部、心身情報取得部、生成部（身体影響評価部、心身状態評価部、休憩評価部、情報生成部）及び探索部を、中央処理装置（ＣＰＵ：Central Processing Unit）、ＤＳＰ（Digital Signal Processor）等を備えた演算手段としてのコンピュータとして構成し、予め用意されたプログラムを当該コンピュータで実行することにより、上記の実施形態における生成部及び制御部の一部又は全部の機能を実現するようにしてもよい。このプログラムはハードディスク、ＣＤ−ＲＯＭ、ＤＶＤ等のコンピュータで読み取り可能な記録媒体に記録され、当該コンピュータによって記録媒体から読み出されて実行される。また、このプログラムは、ＣＤ−ＲＯＭ、ＤＶＤ等の可搬型記録媒体に記録された形態で取得されるようにしてもよいし、インターネットなどのネットワークを介した配信の形態で取得されるようにしてもよい。
【実施例】
【００８７】
以下、本発明の一実施例を、図２〜図５を参照して説明する。なお、以下の説明及び図面においては、同一又は同等の要素については同一の符号を付し、重複する説明を省略する。
【００８８】
［構成］
図２には、一実施例に係る案内情報生成装置１００の概略的な構成がブロック図にて示されている。案内情報生成装置１００は、上述した一実施形態に係る案内情報生成装置７００（図１参照）の一態様となっている。
【００８９】
案内情報生成装置１００は、移動体ＭＶに対応する車両ＣＲ内に配置される。本実施例では、当該車両ＣＲには、記憶ユニット２１０と、音出力ユニット２２０と、表示ユニット２３０と、ＧＰＳ（Global Positioning System）受信ユニット２５０と、無線通信ユニット２６０と、心拍センサユニット２７０と、カメラユニット２８０とが配置され、案内情報生成装置１００に接続されている。
【００９０】
上記の記憶ユニット２１０は、ハードディスク装置等の不揮発性の記憶装置を備えて構成され、案内情報生成装置１００において利用される様々な情報データが記憶される。こうした情報データには、地図情報ＭＰＩ等が含まれている。記憶ユニット２１０には、案内情報生成装置１００がアクセスできるようになっている。すなわち、記憶ユニット２１０は、上述した記憶部９１０の機能を果たすようになっている。
【００９１】
上記の地図情報ＭＰＩには、道路の形状をリンクやノード（交差点等）で表す道路形状データ、建物、河川、地表面（フィーチャ）等を表す背景データ、ＰＯＩ（Point Of Interests）データが含まれている。また、地図情報ＭＰＩには、道路の法定速度、勾配、道路幅、信号の有無等、及び、これらによって分類される道路の種類である道路種別が含まれている。ここで、「道路種別」としては、一般国道、高速道路、一般道路、市街地等を通る細街路、山岳道路等がある。
【００９２】
上記の音出力ユニット２２０は、スピーカを備えて構成される。音出力ユニット２２０は、案内情報生成装置１００から送られた出力音データを受ける。そして、音出力ユニット２２０は、当該出力音データに対応する出力音を出力する。すなわち、音出力ユニット２２０は、上述した音出力部９２０の機能を果たすようになっている。
【００９３】
上記の表示ユニット２３０は、液晶ディスプレイパネル等の表示デバイスを備えて構成される。表示ユニット２３０は、案内情報生成装置１００から送られた表示データを受ける。そして、表示ユニット２３０は、当該表示データに対応する画像を表示する。すなわち、表示ユニット２３０は、上述した表示部９３０の機能を果たすようになっている。
【００９４】
上記のＧＰＳ受信ユニット２５０は、複数のＧＰＳ衛星から送信された電波の受信結果に基づいて、車両ＣＲの現在位置を算出する。また、ＧＰＳ受信ユニット２５０は、ＧＰＳ衛星から送出された日時情報に基づいて、現在時刻を計時する。これらの現在位置および現在時刻に関する情報は、ＧＰＳデータとして案内情報生成装置１００へ送られる。ここで、ＧＰＳ受信ユニット２５０は、上述した位置検出部９５０の機能を果たすようになっている。
【００９５】
上記の無線通信ユニット２６０は、不図示のアンテナ等を備えて構成される。無線通信ユニット２６０は、当該アンテナが受信した受信信号を処理して、案内情報生成装置１００で処理可能なデジタルデータ信号に変換する。また、無線通信ユニット２６０は、案内情報生成装置１００から送られた送信信号を処理して、無線信号に対応する信号に変換し、アンテナへ送る。
【００９６】
無線通信ユニット２６０を利用し、不図示の情報サーバから、走行予定の道路の走行環境状況を、走行予定区間ごとに受信する。ここで、走行環境状況には、走行予定の道路を走行するときの時間及び天候、並びに、走行予定の道路の路面状態等が含まれている。こうして受信された走行環境状況の情報は、案内情報生成装置１００へ送られる。
【００９７】
上記の心拍センサユニット２７０は、不図示の心拍センサを備えて構成される。心拍センサは、例えば、運転者の腕に装着され、運転者の心拍数を検出する。心拍センサによる検出結果は、心拍数データとして案内情報生成装置１００へ送られる。ここで、心拍センサユニット２７０は、上述した生体情報検出部９７０の一部の機能を果たすようになっている。
【００９８】
上記のカメラユニット２８０は、不図示のカメラデバイスと、不図示のデータ処理部とを備えて構成されている。カメラデバイスは、例えば、車室内の前方上部位置に配置される。そして、カメラデバイスは、運転者の顔を撮影する。データ処理部は、カメラデバイスによる撮影結果をデジタル画像データに変換する。こうして撮影された運転者の顔の画像のデジタル画像データは、撮影画像として、案内情報生成装置１００へ送られる。ここで、カメラユニット２８０は、上述した生体情報検出部９７０の一部の機能を果たすようになっている。
【００９９】
＜案内情報生成装置１００の構成＞
次に、上記の案内情報生成装置１００の構成について、説明する。
【０１００】
図２には、一実施例に係る案内情報生成装置１００の概略的な構成がブロック図にて示されている。案内情報生成装置１００は、図２に示されるように、処理制御ユニット１１０を備えている。
【０１０１】
上記の処理制御ユニット１１０は、案内情報生成装置１００の全体を統括制御するとともに、様々な処理を実行する。当該処理制御ユニット１１０は、演算手段としての中央処理装置（ＣＰＵ）、ＤＳＰ（Digital Signal Processor）及びその周辺回路を備えて構成されている。処理制御ユニット１１０が様々なプログラムを実行することにより、案内情報生成装置１００としての各種機能が実現されるようになっている。こうした機能の中には、上述した実施形態における道路情報取得部７１０、心身情報取得部７２０、生成部７５０（身体影響評価部７５１、心身状態評価部７５２、休憩評価部７５３、情報生成部７５４）及び探索部の機能も含まれている。かかる処理制御ユニット１１０が実行する処理の詳細については、後述する。
【０１０２】
なお、処理制御ユニット１１０が実行するプログラムは、ハードディスク、ＣＤ−ＲＯＭ、ＤＶＤ等のコンピュータで読み取り可能な記録媒体に記録され、当該記録媒体からロードされて実行される。また、このプログラムは、ＣＤ−ＲＯＭ、ＤＶＤ等の可搬型記録媒体に記録された形態で取得されるようにしてもよいし、インターネットなどのネットワークを介した配信の形態で取得されるようにしてもよい。
【０１０３】
［動作］
以上のようにして構成された案内情報生成装置１００の動作について、処理制御ユニット１１０による運転者に対する休憩に関する案内情報の生成処理に主に着目して説明する。
【０１０４】
前提として、処理制御ユニット１１０は、現在位置から目的地までの経路探索を行っているものとする。そして、処理制御ユニット１１０は、探索された経路中の道路について、道路種別ごとに走行予定区間を設定しているものとする。
【０１０５】
また、ＧＰＳ受信ユニット２５０からは、車両ＣＲの現在位置及び現在時刻に関する情報が、ＧＰＳデータとして処理制御ユニット１１０へ送られているものとする。
【０１０６】
また、心拍センサユニット２７０からは、運転者の心拍数が、心拍数データとして処理制御ユニット１１０へ送られているものとする。さらに、カメラユニット２８０が、運転者の顔の撮影し、撮影結果をデジタル画像データに変換して、処理制御ユニット１１０へ送っているものとする。そして、処理制御ユニット１１０は、デジタル画像データを解析して、運転者の目の瞬きの頻度を導出しているものとする。また、処理制御ユニット１１０は、記憶ユニット２１０の地図情報ＭＰＩ及び車両ＣＲの現在位置の時間変化に基づいて、車両ＣＲの走行履歴情報である運転時間関連情報を導出して、当該運転時間関連情報から、運転者の休憩状況を導出しているものとする。
【０１０７】
運転者に対する休憩に関する案内情報の生成処理に際しては、図３に示されるように、まず、ステップＳ１１において、処理制御ユニット１１０が、車両ＣＲが走行している走行区間の次の走行予定区間があるか否かを判定する。この判定の結果が否定的であった場合（ステップＳ１１：Ｎ）には、処理は後述するステップＳ１４へ進む。
【０１０８】
一方、ステップＳ１１における判定の結果が肯定的であった場合（ステップＳ１１：Ｙ）には、処理はステップＳ１２へ進む。ステップＳ１２では、処理制御ユニット１１０が、車両ＣＲが現在走行している走行区間の次の走行予定区間について、当該走行予定区間の道路を走行するに際しての運転者の身体への影響を評価したか否かを判定する。
【０１０９】
この判定の結果が肯定的であった場合（ステップＳ１２：Ｙ）には、処理は後述するステップＳ１４へ進む。ステップＳ１２における判定の結果が否定的であった場合（ステップＳ１２：Ｎ）には、処理はステップＳ１３へ進む。ステップＳ１３では、処理制御ユニット１１０が、「今後の身体への影響の評価に基づく休憩に関する案内情報の生成処理」を行う。かかるステップＳ１３の処理の詳細については、後述する。そして、ステップＳ１３の処理が終了すると、処理はステップＳ１４へ進む。
【０１１０】
ステップＳ１４では、処理制御ユニット１１０が、「現在の心身状態の評価に基づく休憩に関する案内情報の生成処理」を行う。かかるステップＳ１４の処理の詳細については、後述する。そして、ステップＳ１４の処理が終了すると、処理はステップＳ１５へ進む。
【０１１１】
ステップＳ１５では、処理制御ユニット１１０が、車両ＣＲの現在位置及び地図情報ＭＰＩを参照して、車両ＣＲが目的地に到達したか否かを判定する。この判定の結果が否定的であった場合（ステップＳ１５：Ｎ）には、処理はステップＳ１１へ戻る。一方、ステップＳ１５における判定の結果が肯定的であった場合（ステップＳ１５：Ｙ）には、運転者に対する休憩に関する案内情報の生成処理が終了する。
【０１１２】
＜今後の身体への影響の評価に基づく休憩に関する案内情報の生成処理＞
上述したステップＳ１３における「今後の身体への影響の評価に基づく休憩に関する案内情報の生成処理」について、説明する。
【０１１３】
この「今後の身体への影響の評価に基づく休憩に関する案内情報の生成処理」は、図４に示されるように、まず、ステップＳ２１において、処理制御ユニット１１０が、現在走行している走行区間の次の走行予定区間の道路の特徴を記憶ユニット２１０に記憶された地図情報ＭＰＩを参照して取得するとともに、次の走行予定区間の走行環境状況を情報サーバから取得する。この後、処理はステップＳ２２へ進む。
【０１１４】
引き続き、ステップＳ２２において、処理制御ユニット１１０が、次の走行予定区間の道路の特徴及び走行環境状況に基づいて、運転者の今後の身体への影響の評価、すなわち、次の走行予定区間の道路を走行する際に、運転者が眠気を催す道路走行環境か否かの評価、及び、運転者が疲労を生じる道路走行環境か否かの評価を行う。この後、処理はステップＳ２３へ進む。
【０１１５】
ステップＳ２３では、処理制御ユニット１１０が、ステップＳ２２において運転者が眠気を催すと評価されたか否かを判定する。この判定の結果が肯定的であった場合（ステップＳ２３：Ｙ）には、処理はステップＳ２４へ進む。ステップＳ２４では、処理制御ユニット１１０が、次の走行予定の道路を走行する前に、運転者が眠気を催さないようにするための休憩を取るべき旨の第１種の案内情報を生成する。当該第１種の案内情報の生成に際して、例えば、次の走行予定区間の道路が高速道路の場合には、処理制御ユニット１１０は、記憶ユニット２１０に記憶された地図情報ＭＰＩを参照して、当該高速道路の入口インターチェンジ（入口施設）のパーキングエリアを抽出する。そして、処理制御ユニット１１０は、例えば「高速道路を走行する前に、当該パーキングエリアで、１時間仮眠して休憩を取るべき」旨の第１種の案内情報を生成する例が挙げられる。
【０１１６】
引き続き、処理制御ユニット１１０は、第１種の案内情報の内容に対応する表示データ及び出力音データを生成する。そして、処理制御ユニット１１０は、当該表示データを表示ユニット２３０へ送り、当該出力音データを音出力ユニット２２０へ送る。
【０１１７】
この結果、表示ユニット２３０に、表示データに対応する案内情報の画像が表示される。また、音出力ユニット２２０から、出力音データに対応する案内情報の出力音が出力される。こうして案内情報が出力されると、ステップＳ２４の処理が終了する。ステップＳ２４の処理が終了すると、ステップＳ１３の処理が終了する。そして、処理は上述した図３のステップＳ１４へ進む。
【０１１８】
一方、ステップＳ２３における判定の結果が否定的であった場合（ステップＳ２３：Ｎ）には、処理はステップＳ２５へ進む。ステップＳ２５では、ステップＳ２２において運転者が疲労を生じると評価されたか否かを判定する。この判定の結果が肯定的であった場合（ステップＳ２５：Ｙ）には、処理はステップＳ２６へ進む。ステップＳ２６では、処理制御ユニット１１０が、次の走行予定の道路を走行する前に、運転者が疲労を生じないようにするための休憩を取るべき旨の第２種の案内情報を生成する。当該第２種の案内情報の生成に際して、例えば、次の走行予定区間が山岳道路の場合には、処理制御ユニット１１０は、地図情報ＭＰＩを参照して、当該山岳道路の手前の道の駅を抽出する。そして、処理制御ユニット１１０は、例えば「山岳道路を走行する前に、当該道の駅で、２０分間リラックスして休憩を取るべき」旨の第２種の案内情報を生成する例が挙げられる。
【０１１９】
引き続き、処理制御ユニット１１０は、第２種の案内情報の内容に対応する表示データ及び出力音データを生成する。そして、処理制御ユニット１１０は、当該表示データを表示ユニット２３０へ送り、当該出力音データを音出力ユニット２２０へ送る。
【０１２０】
この結果、表示ユニット２３０に、表示データに対応する案内情報の画像が表示される。また、音出力ユニット２２０から、出力音データに対応する案内情報の出力音が出力される。こうして案内情報が出力されると、ステップＳ２６の処理が終了する。ステップＳ２６の処理が終了すると、ステップＳ１３の処理が終了する。そして、処理は上述した図３のステップＳ１４へ進む。
【０１２１】
一方、ステップＳ２５における判定の結果が否定的であった場合（ステップＳ２５：Ｎ）には、ステップＳ１３の処理が終了する。そして、処理は上述した図３のステップＳ１４へ進む。
【０１２２】
＜現在の心身状態の評価に基づく休憩に関する案内情報の生成処理＞
上述したステップＳ１４における「現在の心身状態の評価に基づく休憩に関する案内情報の生成処理」について、説明する。
【０１２３】
この「現在の心身状態の評価に基づく休憩に関する案内情報の生成処理」は、図５に示されるように、まず、ステップＳ３２において、処理制御ユニット１１０が、運転者の心拍数と目の瞬きの頻度とに基づいて、現時点において、運転者が眠気を催しているか否かを評価し、運転者の心拍数と運転者の休憩状況とに基づいて、現時点において、運転者が疲労しているか否かを評価する。この後、処理はステップＳ３３へ進む。
【０１２４】
ステップＳ３３では、処理制御ユニット１１０が、ステップＳ３２において運転者が眠気を催していると評価されたか否かを判定する。この判定の結果が肯定的であった場合（ステップＳ３３：Ｙ）には、処理はステップＳ３４へ進む。ステップＳ３４では、処理制御ユニット１１０が、直ちに、運転者が眠気を解消するための休憩を取るべき旨の第３種の案内情報を生成する。当該第３種の案内情報の生成に際して、例えば、処理制御ユニット１１０は、地図情報ＭＰＩを参照して、最も近いコンビニエンスストアを抽出する。そして、処理制御ユニット１１０は、例えば「１００ｍ先の当該コンビニエンスストアで、１時間仮眠してからコーヒーを飲む休憩を取るべき」旨の第３種の案内情報を生成する例が挙げられる。
【０１２５】
引き続き、処理制御ユニット１１０は、第３種の案内情報の内容に対応する表示データ及び出力音データを生成する。そして、処理制御ユニット１１０は、当該表示データを表示ユニット２３０へ送り、当該出力音データを音出力ユニット２２０へ送る。
【０１２６】
この結果、表示ユニット２３０に、表示データに対応する案内情報の画像が表示される。また、音出力ユニット２２０から、出力音データに対応する案内情報の出力音が出力される。こうして案内情報が出力されると、ステップＳ３４の処理が終了する。ステップＳ３４の処理が終了すると、ステップＳ１４の処理が終了する。そして、処理は上述した図３のステップＳ１５へ進む。
【０１２７】
一方、ステップＳ３３における判定の結果が否定的であった場合（ステップＳ３３：Ｎ）には、処理はステップＳ３５へ進む。ステップＳ３５では、ステップＳ３２において運転者が疲労していると評価されたか否かを判定する。この判定の結果が肯定的であった場合（ステップＳ３５：Ｙ）には、処理はステップＳ３６へ進む。ステップＳ３６では、処理制御ユニット１１０が、直ちに、運転者が疲労を回復するための休憩を取るべき旨の第４種の案内情報を生成する。当該第４種の案内情報の生成に際して、例えば、処理制御ユニット１１０は、地図情報ＭＰＩを参照して、最も近いコンビニエンスストアを抽出する。そして、処理制御ユニット１１０は、「２００ｍ先の当該コンビニエンスストアで、３０分間、音楽を聴きながらリラックスして休憩を取るべき」旨の第４種の案内情報を生成する例が挙げられる。
【０１２８】
引き続き、処理制御ユニット１１０は、第４種の案内情報の内容に対応する表示データ及び出力音データを生成する。そして、処理制御ユニット１１０は、当該表示データを表示ユニット２３０へ送り、当該出力音データを音出力ユニット２２０へ送る。
【０１２９】
この結果、表示ユニット２３０に、表示データに対応する案内情報の画像が表示される。また、音出力ユニット２２０から、出力音データに対応する案内情報の出力音が出力される。こうして案内情報が出力されると、ステップＳ３６の処理が終了する。ステップＳ３６の処理が終了すると、ステップＳ１４の処理が終了する。そして、処理は上述した図３のステップＳ１５へ進む。
【０１３０】
一方、ステップＳ３５における判定の結果が否定的であった場合（ステップＳ３５：Ｎ）には、ステップＳ１４の処理が終了する。そして、処理は上述した図３のステップＳ１５へ進む。
【０１３１】
以上説明したように、本実施例では、処理制御ユニット１１０が、走行予定区間の道路の特徴及び走行環境状況を取得する。次いで、処理制御ユニット１１０は、これらの情報に基づいて、走行予定区間の道路を走行する際に、運転者が眠気を催すか否かの評価、及び、運転者が疲労を生じるか否かの評価を行う。引き続き、運転者が眠気を催すと評価した場合には、処理制御ユニット１１０は、走行予定区間の道路を走行する前に、運転者が眠気を催さないようにするための休憩を取るべき旨の案内情報を生成する。また、運転者が疲労を生じると評価した場合には、処理制御ユニット１１０は、走行予定区間の道路を走行する前に、運転者が疲労を生じないようにするための休憩を取るべき旨の案内情報を生成する。
【０１３２】
このため、現時点において、運転者が眠気を催していない場合や、疲労していない場合であっても、運転中に、運転者が眠気を催したり、疲労したりすることを考慮した休憩に関する案内情報を提供することができる。この結果、居眠り運転や疲労運転の発生を抑制することができる。したがって、本実施例によれば、休憩に関する案内情報を運転者に適切に提供して、安全運転に資することができる。
【０１３３】
また、本実施例では、処理制御ユニット１１０が、運転者の心拍数の情報及び顔の撮影画像を取得する。また、処理制御ユニット１１０は、地図情報ＭＰＩ及び車両ＣＲの現在位置の時間変化に基づいて、運転時間関連情報を導出して取得する。次いで、処理制御ユニット１１０は、これらの情報に基づいて、現時点において、運転者が眠気を催しているか否かの評価、及び、運転者が疲労しているか否かの評価を行う。引き続き、運転者が眠気を催していると評価した場合には、処理制御ユニット１１０は、早急に、運転者が眠気を解消するための休憩を取るべき旨の案内情報を生成する。また、運転者が疲労していると評価した場合には、処理制御ユニット１１０は、早急に、運転者が疲労を回復するための休憩を取るべき旨の案内情報を生成する。
【０１３４】
このため、運転中に運転者が眠気を催したり、疲労したりした場合には、直ちに休憩に関する案内情報を提供することができる。この結果、居眠り運転や疲労運転の発生を抑制することができる。したがって、本実施例によれば、休憩に関する案内情報を運転者に更に適切に提供して、安全運転に資することができる。
【０１３５】
［実施例の変形］
本発明は、上記の実施例に限定されるものではなく、様々な変形が可能である。
【０１３６】
例えば、上記の実施例では、目的地が設定されていることを前提として、走行予定区間を道路種別ごとに設定した。これに対し、走行予定区間を、道路の特徴ごとに設定するようにしてもよいし、所定走行距離ごとに設定するようにしてもよい。また、走行予定区間を、所定走行時間ごとに変更するように設定してもよい。
【０１３７】
また、上記の実施例では、処理制御ユニットは、現在位置から目的地までの経路探索を行い、探索された経路中の道路について、走行予定区間を設定した。これに対し、目的地が設定されていない場合は、処理制御ユニットは、記憶ユニットに記憶された地図情報を参照して、車両ＣＲの現在位置の変化から、道路の先読みを行い、進行方向に道なりの道路を、予測進路として予測する。そして、処理制御ユニットは、予測進路を所定走行距離だけ走行しても道路種別が変化しない場合には、当該所定走行距離の予測進路を走行予定区間に設定するようにしてもよい。また、処理制御ユニットは、所定走行距離の予測道路を走行する間に道路種別が変化する場合には、予測進路の道路種別ごとに、走行予定区間を設定するようにしてもよい。
【０１３８】
また、上記の実施例では、処理制御ユニットは、「今後の身体への影響の評価に基づく休憩に関する案内情報の生成処理」と「現在の心身状態の評価に基づく休憩に関する案内情報の生成処理」とを行うようにした。これに対し、処理制御ユニットは、「今後の身体への影響の評価に基づく休憩に関する案内情報の生成処理」のみを行うようにしてもよい。
【０１３９】
また、上記の実施例では、最初に走行する走行予定区間については、「今後の身体への影響の評価に基づく休憩に関する案内情報の生成処理」を行わないようにした。これに対し、車両が走行を開始する前に、最初に走行する走行予定区間についての「今後の身体への影響の評価に基づく休憩に関する案内情報の生成処理」を行うようにしてもよい。
【０１４０】
また、上記の実施例では、「運転者の今後の身体への影響の評価に基づく案内情報の生成処理」においては、運転者が眠気を催すか否かの評価の結果が否定的な場合に、運転者が疲労を生じるか否かの評価を行うようにした。これに対し、「運転者の今後の身体への影響の評価に基づく案内情報の生成処理」において、運転者が眠気を催すか否かの評価の結果が肯定的な場合にも、運転者が疲労を生じるか否かの評価を行うようにしてもよい。
【０１４１】
また、上記の実施例では、「運転者の現在の心身状態の評価に基づく案内情報の生成処理」においては、運転者が眠気を催しているか否かの評価の結果が否定的な場合に、運転者が疲労を生じているか否かの評価を行うようにした。これに対し、「運転者の現在の心身状態の評価に基づく案内情報の生成処理」において、運転者が眠気を催しているか否かの評価の結果が肯定的な場合にも、運転者が疲労を生じているか否かの評価を行うようにしてもよい。
【０１４２】
また、上記の実施例では、生体情報として、運転者の心拍数と目の瞬きの頻度を採用した。これに対し、運転者の血圧、体温、発汗量、眼球運動の動揺量、脳波等の生体情報から、運転者が眠気を催しているか否か及び運転者が疲労しているか否かを評価するようにしてもよい。
【０１４３】
また、上記の実施例では、車両の走行履歴から運転者が休憩している期間を特定した。これに対し、車両のＡＣＣ電源がオフになっている期間を運転者が休憩している期間に特定するようにしてもよい。
【０１４４】
また、上記の実施例については、上述した実施形態に対する変形と同様の変形を適宜施すことができる。
【符号の説明】
【０１４５】
１００  …  案内情報生成装置
１１０  …  処理制御ユニット（道路情報取得部、心身情報取得部、生成部（身体影響
評価部、休憩評価部、情報生成部）
７００  …  案内情報生成装置
７１０  …  道路情報取得部
７２０  …  心身情報取得部
７５０  …  生成部
７５１  …  身体影響評価部
７５２  …  心身状態評価部
７５３  …  休憩評価部
７５４  …  情報生成部
【図１】
2018190025.tif 000003
【図２】
2018190025.tif 000004
【図３】
2018190025.tif 000005
【図４】
2018190025.tif 000006
【図５】
2018190025.tif 000007